(57)【要約】      （修正有）【課題】加湿装置が分散設置した場合でも、設置工事又は点検などの作業性を向上させた水加湿による加湿装置を提供することにある。【解決手段】加湿装置１２を天井面６に設置し、空調装置１により調節するための空調対象となる部屋５の空気を吸込むための吸込口と、結露しないような大きさの水滴の霧を発生させ、前記吸込口から吸込まれた空気を加湿する加湿ノズルとを備える。空調装置１により調節された空気は、吹出口１０から室内に送出される。【選択図】図１
2013249979.tif 000002
【特許請求の範囲】
【請求項１】
調節するための空気を吸込むための吸込口と、
結露しないような大きさの水滴の霧を発生させ、前記吸込口から吸込まれた空気を加湿する加湿手段と
を備えたことを特徴とする加湿装置。
【請求項２】
天井に設置される構造であること
を特徴とする請求項１に記載の加湿装置。
【請求項３】
前記吸込口を覆うように設けられ、内部の各種機器にアクセス可能にするための吸込口ルーバー
を備えたことを特徴とする請求項１又は請求項２に記載の加湿装置。
【請求項４】
漏水を検知する漏水検知手段
を備えたことを特徴とする請求項１から請求項３のいずれか１項に記載の加湿装置。
【請求項５】
前記加湿ノズルに霧を発生させるための圧縮空気を供給する圧縮空気供給手段と、
前記加湿ノズルに霧を発生させるための水を供給する給水手段と
を備えたことを特徴とする請求項１から請求項４のいずれか１項に記載の加湿装置。
【請求項６】
漏水を検知する漏水検知手段と、
前記加湿ノズルに霧を発生させるための圧縮空気を供給する圧縮空気供給手段と、
前記加湿ノズルに霧を発生させるための水を供給する給水手段と、
前記漏水検知手段により漏水を検知した場合、前記圧縮空気供給手段による圧縮空気の供給及び前記給水手段による水の供給を閉止する閉止手段と
を備えたことを特徴とする請求項１から請求項３のいずれか１項に記載の加湿装置。
【請求項７】
複数の加湿装置を備える空調システムであって、
前記加湿装置は、
室内の空気を吸込むための吸込口と、
結露しないような大きさの水滴の霧を発生させ、前記吸込口から吸込まれた空気を加湿する加湿手段とを備え、
前記加湿装置の前記加湿手段により加湿された空気を調節する空調手段と、
前記空調手段により調節された空気を前記室内に送出する送出手段と
を備えたことを特徴とする空調システム。
【発明の詳細な説明】
【技術分野】
【０００１】
本発明は、加湿装置に関する。
【背景技術】
【０００２】
加湿装置は、工場、事務所、病院等様々な場所で使用されている。その使用目的は、静電気防止、保湿、健康面の向上など様々である。
【０００３】
加湿装置には、信頼性、安全性等の面から蒸気噴霧式加湿器が多く使われている。しかし、省エネルギー化又は二酸化炭素の削減の観点から、電気で加湿可能な加湿方式が注目されている。
【０００４】
電気で加湿する加湿方式は様々ある。その中で、近年注目されているのは、水加湿に属する滴下浸透気化加湿方式と二流体加湿方式である。
【０００５】
滴下浸透気化加湿方式は、加湿エレメントに上部から水を滴下し、そのエレメントに通風することで加湿する方式である。この方式は、水溶性のケミカル成分を除去できる特性を持つ。この方式は、半導体等の工場等で導入されている。
【０００６】
二流体加湿方式は、二流体スプレーノズルにより、水を圧縮空気で微細化し、空気に直接噴霧する加湿方式である。この方式は、形状がコンパクトで室内にも設置可能である（例えば、特許文献１参照）。
【０００７】
水加湿のいずれの方式も消費エネルギーが少なく、更に水の蒸発潜熱による冷却効果が大きい。そのため、蒸気加湿器から水加湿への転換は、非常に有用である。
【先行技術文献】
【特許文献】
【０００８】
【特許文献１】特開２００５−６９４９７号公報
【発明の概要】
【発明が解決しようとする課題】
【０００９】
しかしながら、既設の蒸気加湿器から水加湿への転換を目的に、空調装置内部に水加湿を設置する場合、加湿前段や後段に加熱コイルを増設しなければならないことがある。この場合に、既設の空調装置廻りのスペースが狭く、加熱コイルの増強スペースを確保できないことがある。これらの問題の解決策の一つに、空調装置の還気ダクトへ水加湿器を設置する方法がある。この方法では、還気ダクトが天井内に敷設されているため、加湿装置の設置スペースが限定される。そのため、この方法には、形状がコンパクトな二流体加湿方式が用いられる。しかし、この方式は、還気温度により加湿量が制限される。このため、加湿装置を分散設置する必要がある。加湿装置が分散設置されると、天井内のスペースが狭くなり、設置工事又は点検などの作業性が悪くなる。
【００１０】
そこで、本発明の目的は、作業性を向上させた水加湿による加湿装置を提供することにある。
【課題を解決するための手段】
【００１１】
本発明の観点に従った加湿装置は、調節するための空気を吸込むための吸込口と、結露しないような大きさの水滴の霧を発生させ、前記吸込口から吸込まれた空気を加湿する加湿手段とを備えている。
【発明の効果】
【００１２】
本発明によれば、作業性を向上させた水加湿による加湿装置を提供することができる。
【図面の簡単な説明】
【００１３】
【図１】本発明の実施形態に係る加湿装置の適用された空調システムの構成を示す構成図。
【図２】本実施形態に係る加湿装置の構成を示す構成図。
【発明を実施するための形態】
【００１４】
以下図面を参照して、本発明の実施形態を説明する。
【００１５】
（実施形態）
図１は、本発明の実施形態に係る加湿装置１２の適用された空調システム２０の構成を示す構成図である。なお、以降の図における同一部分には同一符号を付してその詳しい説明を省略し、異なる部分について主に述べる。図中の矢印は、空気の流れる方向を示している。
【００１６】
空調システム２０は、空調対象となる部屋５の室内の空気を調節するシステムである。
【００１７】
空調システム２０は、空調装置１、外気ダクト７、還気ダクト８、給気ダクト９、吹出口１０、吸込口１１、加湿装置１２、制御装置１３、及び湿度センサー１４で構成されている。制御装置１３は、加湿装置１２及び湿度センサー１４とそれぞれデータの送受信をする信号線１５で接続されている。吹出口１０、吸込口１１及び加湿装置１２は、部屋５の天井面６に設けられている。なお、吹出口１０、吸込口１１及び加湿装置１２は、それぞれいくつ設けてもよい。また、吸込口１１は、全て加湿装置１２でもよい。
【００１８】
吸込口１１及び加湿装置１２は、空調装置１に送り込むための室内の空気を取り込む。加湿装置１２は、取り込まれた空気を加湿する。空調装置１により調節された空気は、吹出口１０から室内に送出される。
【００１９】
湿度センサー１４は、室内の湿度を測定するためのセンサーである。湿度センサー１４は、測定した湿度を信号線１５により制御装置１３に送信する。
【００２０】
制御装置１３は、湿度センサー１４により測定された湿度に基づいて、加湿装置１２を制御する。これにより、室内の湿度を制御する。また、制御装置１３は、加湿装置１２から受信する各種測定データ又は異常信号などに基づいて、加湿装置１２を監視する。制御装置１３は、加湿装置１２の異常を検出した場合、警報を出力する。例えば、制御装置１３は、加湿装置１２の漏水を検出した場合に漏水警報を出力する。
【００２１】
空調装置１は、冷却コイル２、加熱コイル３及び送風機４を備えている。
【００２２】
空調装置１は、吸込口１１及び加湿装置１２から室内の空気を吸込む。吸込口１１及び加湿装置１２から吸込まれた空気は、加湿装置１２より加湿される。加湿された空気は、還気ダクト８を通り抜けて、空調装置１に取り込まれる。空調装置１は、外気ダクト７から外気を取り込む。空調装置１は、還気ダクト８から取り込まれた還気と外気ダクト７から取り込まれた外気を混合する。空調装置１は、冷却コイル２と加熱コイル３で混合した空気の温度を調節（調温）する。空調装置１は、調温した空気を送風機４で給気ダクト９に送り込む。給気ダクト９に送り込まれた空気は、吹出口１０から室内に送風される。
【００２３】
図２は、本実施形態に係る加湿装置１２の構成を示す構成図である。図中の太い矢印は、空気の流れる方向を示している。
【００２４】
加湿装置１２は、筐体２１、漏水センサー２２、給水ホース２３、給水自動制御弁２４、給水手動閉止弁２５、加湿ノズル２６、圧縮空気ホース２７、圧縮空気自動制御弁２８、圧縮空気手動閉止弁２９、制御箱３０、ドレンパン３１、及びエリミネータ３２で構成されている。加湿装置１２は、筐体２１に設けられたフランジ３３で還気ダクト８に接続されている。加湿装置１２は、吊ボルト３４により固定されている。加湿装置１２の下部に位置する部屋５の天井面６側には、吸込口ルーバー３５が設けられている。
【００２５】
制御箱３０は、制御装置１３と信号線１５で接続されている。制御箱３０は、加湿装置１２を構成する各機器を制御する。制御箱３０は、制御装置１３からの制御信号に応じて、制御装置１２を制御する。制御箱３０は、加湿装置１２の状態を把握するための測定データ又は異常などの各種信号を制御装置１３に出力する。
【００２６】
加湿装置１２は、下部に設けられた吸込口から室内の空気を吸込む。加湿装置１２は、吸込んだ空気を、加湿ノズル２６で加湿する。加湿された空気は、還気ダクト８により空調装置１に戻される。
【００２７】
加湿ノズル２６は、ドレンパン３１の中に設置されている。加湿ノズル２６は、二流体スプレーノズルである。加湿ノズル２６は、結露しないような極めて微細な大きさの水滴の霧を発生させる。結露しないような極めて微細な霧とは、５μｍ程度の霧である。このように極めて微細な霧で加湿することで、加湿装置１２の内部で結露しないようにすることができる。加湿ノズル２６には、給水ホース２３を通じて水が供給され、圧縮空気ホース２７を通じて圧縮空気が供給される。加湿ノズル２６は、供給された水及び圧縮空気を用いて、極めて微細な霧を発生させる。
【００２８】
ドレンパン３１は、加湿ノズル２６が設けられている空間の空気中から分離した水滴を受け止めるための皿状の容器である。
【００２９】
漏水センサー２２は、ドレンパン３１の漏水を検知するセンサーである。漏水センサー２２は、例えば、電気抵抗測定型漏水センサーである。なお、漏水センサー２２は、ドレンパン３１の漏水に限らず、加湿装置１２から天井面６へ漏水する可能性のあるものであれば、どのような漏水を検出してもよい。
【００３０】
制御箱３０は、制御装置１３からの湿度に対する指令値に対して、加湿ノズル２６の噴霧量を比例制御するように、給水自動制御弁２４を制御する。これにより、制御箱３０は、部屋５の湿度を制御する。制御箱３０は、漏水センサー２２により漏水を検知すると、給水自動制御弁２４及び圧縮空気自動制御弁２８を閉止する。これにより、制御箱３０は、水と圧縮空気の加湿ノズル２６への供給を遮断する。更に、制御箱３０は、漏水を検知したことを、制御装置１３に外部出力する。
【００３１】
また、加湿装置１２には、水と圧縮空気の加湿ノズル２６への供給を遮断するために、給水自動制御弁２４及び圧縮空気自動制御弁２８とは別に、手動で操作可能な給水手動閉止弁２５及び圧縮空気手動閉止弁２９が設けられている。
【００３２】
加湿ノズル２６及びドレンパン３１が設置されている場所は、還気ダクト８及び加湿装置１２の吸入口とエリミネータ３２で遮られている。エリミネータ３２は、気流中に含まれる水滴を分離する機器である。これにより、加湿ノズル２６及びドレンパン３１が設置されている場所の空気中に水滴が含まれていたとしても、還気ダクト８及び加湿装置１２へ流れる空気中の水滴は取り除かれる。
【００３３】
加湿装置１２の吸入口には、吸込口ルーバー３５が取り付けられている。図２には、吸込口ルーバー３５の閉めた状態と共に開いた状態も図示している。吸込口ルーバー３５は、部屋６の室内から開閉することができるような構造になっている。吸込口ルーバー３５を開くことにより、作業者は、加湿装置１２の内部の各種機器にアクセスすることができる。また、吸込口ルーバー３５は、加湿装置１２から取り外すこともできる。これにより、作業者は、室内から加湿装置１２の内部の保守及び点検をすることができる。
【００３４】
本実施形態によれば、加湿装置１２に空調システム２０の吸込口１１の機能を持たせることにより、天井面６の省スペース化を図ると共に、設置工事及び点検などの作業性を高めることができる。また、空調システム２０廻りのスペースを十分に確保できない場合でも、水加湿を行う加湿装置１２を導入することができる。
【００３５】
また、加湿装置１２に結露しないような極めて微細な霧を発生させる加湿ノズル２６を用いることで、漏水などを抑制することができる。また、加湿ノズル２６をエリミネータ３２で他のスペースと遮ることで、水滴が外部に流出することを防止することができる。これらにより、加湿装置１２の保守性を高めることができる。
【００３６】
さらに、加湿装置１２を天井面６に設置する構造にし、室内から加湿装置１２の内部を作業又は点検できるようにするための吸込口ルーバー３５を設けることで、作業者は、室内から加湿装置１２の作業又は保守をすることができる。これにより、加湿装置１２の作業性及び保守性を高めることができる。
【００３７】
また、それぞれの加湿装置１２に漏水検知機能を持たせることで、天井面６で漏水が生じた場合、漏水している加湿装置１２の特定を容易にすることができる。また、漏水に限らず、それぞれの加湿装置１２で異常を検出することで、加湿装置１２が分散設置されている場合でも、加湿装置１２の監視を容易にすることができる。
【００３８】
さらに、制御装置１３で、分散設置されている加湿装置１２を集中的に制御及び監視することで、加湿装置１２の制御及び監視をし易くすることができる。例えば、制御装置１３で、湿度センサー１４により測定された湿度に基づいて、それぞれの加湿装置１２を制御することで、室内の湿度を効率的に制御することができる。また、制御装置１３は、それぞれの加湿装置１２から異常などの検知信号を受信することで、分散設置された加湿装置１２を一括して監視又は制御をすることができる。
【００３９】
なお、本実施形態では、制御装置１２は、部屋５の天井面６に設ける構造として説明したが、空調装置１の吸込口１１としての機能を持つのであれば、部屋５の何処に設置される構造にしてもよい。
【００４０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４１】
１…空調装置、２…冷却コイル、３…加熱コイル、４…送風機、５…部屋、６…天井面、７…外気ダクト、８…還気ダクト、９…給気ダクト、１０…吹出口、１１…吸込口、１２…加湿装置、１３…制御装置、１４…湿度センサー、１５…信号線、２０…空調システム。
【図１】
2013249979.tif 000003
【図２】
2013249979.tif 000004